(57)【要約】      （修正有）【課題】雪や氷りの粒子が金具や鋲に付着して目詰りしたり、建物内部の歩行で歩く度に特有の音がしたり床を傷つけたりすることのないスパイクピンを有する靴底を提供する。【解決手段】鋼鉄のパイプを薄く輪切りにした形状の鋼鉄リング２の片方の切り口に、ノコ刃状の爪１を数多く形成し、もう一方の切り口には円形のつば３を設けた、又、靴底を形成する発泡合成樹脂６の爪先部には、スパイクピンの径と同じ大きさの切り込み７を入れてスパイクピンを埋め込み、ノコ刃状の爪１が靴底底面８より顔を出さない深さに固定する。【選択図】図４
2005312872.tif 000002
【特許請求の範囲】
【請求項１】
鋼鉄のパイプを薄く輪切りにした形状の鋼鉄リング（２）の切り口の片方に、ノコ刃状の爪（１）を数多く設け、もう片方の切り口の周囲には、鋼鉄リング（２）を靴底に固定するための、円形のつば（３）を設けたスパイクピン（４）を創出した、当、スパイクピン（４）を弾力性のある発泡合成樹脂（６）を用いた靴底のつま先部（１１）に、埋め込んで固着する事を特徴とするスパイクピン及びスパイクピンを有する靴底
【請求項２】
靴底を形成する発泡合成樹脂（６）のつま先部（１１）に、スパイクピン（４）の径と同じ大きさの円形の切り込み（７）を入れてスパイクピン（４）を埋め込み，ノコ刃状の爪（１）の先端が靴底底面（８）より顔を出さない程度の深さにして固着した事を特徴とする，請求項１記載のスパイクピン及びスパイクピンを有する靴底、
【発明の詳細な説明】
【発明の詳細な説明】
【技術分野】
【０００１】  本発明は路面がつるつる状態の凍結路で、滑って転倒する事故を防止するためのスパイクピン及びスパイクピンを有する靴底に関するものである。
【背景技術】
【０００２】  寒さの厳しい北国では圧雪やアイスバーンで、路面がつるつるに滑る状態になる事から歩行者の転倒事故が多発します、この様な事故を防止するため、靴底にスベリ止めの金具や鋲を取り付けた各種のスパイクシュウズが販売されています、しかし、市販されている従来のスパイクシュウズは、そのほとんどが靴底に金具や鋲などの突起物を設けてスベリ止めの機能を持たせています、これらの方法のスベリ止め金具や鋲は、歩行開始直後はその効果を発揮しますが、しばらくするとその効果が減少してしまいます、その原因は金具や鋲の周りに雪や削り取られた氷の粒子が次々と付着して、やがては突起物の間をうめて目詰まり状態になってしまうからです、【０００３】  外気温が氷点下になりますと、付着した雪や氷の粒子が凍結して大きく成長して金具や鋲などの突起物を包み込んでしまいます、この様な状態になると靴底に氷の塊を付けて歩いているようなもので大変危険な状態になるのです、歩行者は時々立ち止まり付着した雪や氷を取り除かなければ歩行をつづけることができなくなります、
【特許文献１】  特開平１０−１７４６０４号広報
【特許文献２】  特開２００２−２８００４号広報
【特許文献３】  特開平８−２９４４０４広報
【特許文献４】  特開平８−２８９８０３広報
【発明の開示】
【発明が解決しようとする課題】
【０００４】  スパイクシュウズの靴底に設けられたスベリ止めの金具や鋲などの突起物に，雪や氷の粒子が付着する事をいかに抑えるか、又、外気温が氷点下でも付着物が凍結して大きな塊となり、成長するする状態をいかに防止するかという事を最も主要な特徴とする。
【課題を解決するための手段】
【０００５】  鋼鉄のパイプを薄く輪切りにした形状の鋼鉄リング（２）の切り口の片方に、ノコ刃状の爪（１）を数多く設けて、スベリ止めの機能を持たせたスパイクピン（４）を創出した、スパイクピン（４）には歩行の際に大きな体重が掛りますが、この事は逆に歩行者の足の裏を突き上げる力となり、痛みを覚えるなど身体に悪い影響を及ぼします、この事を防ぐために鋼鉄リングのもう一方の切り口には、円形のつば（３）を設けて緩衝の機能を持たせると共に、スパイクピン（４）を靴底に固定するための機能をも合わせ持たせた、次に図３で示すように靴底を形成する緩衝材には、弾力性のある発泡合成樹脂（６）を使用します、発泡合成樹脂（６）の靴底底面（８）には、鋼鉄リング（２）の切り口の径と同じ大きさの円形の切り込み（７）を入れて、スパイクピン（４）を差し込みます、この時にスパイクピンのノコ刃状の爪（１）の先端が、図４で示すように靴底底面（８）より突き出さない程度の深さにして、発泡合成樹脂（６）は靴底本体（５）に貼り合わせます、この様にしてスパイクピン（４）は靴底を形成する発泡合成樹脂（６）のつま先部（１１）に埋め込まれ固着されます、この状態での靴底底面（８）においては、スパイクピン（４）のノコ刃状の爪（１）の先端が突起物として顔を出してはおりませんので、ノコ刃状の爪（１）に雪や氷の粒子が付着することを最小限におさえる事ができます、しかし、歩くときに重心の移動で体重が靴底のつま先部（１１）にかかると、弾力性のある発泡合成樹脂（６）は圧縮されて薄くなり、ノコ刃状の爪（２）の先端が靴底底面（８）より顔を出し凍結路面を握持つします、この時に靴底のつま先（１１）には少量の雪や氷の粒子が付着しますが、重心が移動して体重がかからなくなると発泡合成樹脂（６）は元の厚さに戻り、ノコ刃状の爪（２）の先端が発泡合成樹脂（６）の内部に隠れますので付着した雪や氷の粒子は取り除かれるのです、
【発明の効果】
【０００６】  発明の効果を箇条書きに整理すると次の４項目にまとめる事が出来る、【０００７】  ▲１▼スパイクピン（４）の先端に設けたノコ刃状の爪（１）は、靴底を形成する発泡合成樹脂（６）の中に埋設されているので、歩行の際に体重の移動に合わせて、靴底底面（８）より爪の先を出したり隠したりする事を繰り返しますので、雪や氷の粒子が付着することを最小限におさえると共に、氷点下においても氷の塊となって大きく成長することを防ぎます、【０００８】  ▲２▼重心の移動で体重が靴底のつま先部（１１）にかかると、緩衝材である発泡合成樹脂（６）が圧縮されて靴底は薄くなり、ノコ刃状の爪（１）の先端が靴底底面（８）より顔を突き出しますので、効果的に凍結路面を握持し転倒事故を防ぐことができます、【０００９】  ▲３▼靴底に設けられたスベリ止めの金具は、建物の内部などで歩く時に、カツカツと音を発したり、床を傷つけたり、突起物ゆえにその履き心地にも違和感を覚えたりするものですが、本発明のスパイクピン（４）は靴底を形成する発泡合成樹脂（６）の中に埋め込まれている事と合わせて、埋設部位も靴底底面（８）の爪先部（１１）ですから、爪先の力を少し抜いて歩くことによりこの様な不便を緩和する事が出来ます、【００１０】  ▲４▼氷点下でも靴の底に雪や氷の塊ができないので，スベリ止めの効果が減じることがありません，歩行中に付着した雪や氷を一々取り除く面倒な作業から解放されます、
【発明を実施するための最良の形態】
【実施例１】
【００１１】  歩行時、重心が移動するために体重は左右の足に交互に掛ります、さらに体重は足の踵部からつま先へと移動します、本発明のスパイクピン（４）を有する靴底は、図３で示すように弾力性のある発泡合成樹脂（６）のつま先部（１１）の内部に、スパイクピン（４）が埋め込まれ、靴底本体（５）に貼り合わせて固着されております、重心がつま先部（１１）に移動して体重がかかると、図５で示すように発泡合成樹脂（６）は押しつぶされて薄くなり、切り込み（７）の内部に埋め込まれているスパイクピン（４）の先端のノコ刃型の爪（３）が，靴底底面（８）より外に顔を出して凍結した路面を握持します，さらに歩を進めてもう片方の足に体重が移動しますと、発泡合成樹脂（６）の靴底は再び厚みを増して、図４で示す元の状態に戻りますので、スパイクピン（４）の先端が靴底底面（８）より隠れます、この時ノコ刃状の爪（１）に付着していた雪や氷の粒子が取り除かれます、この事を繰り返して歩行は続けられますが、スパイクピン（４）の先端の部分に雪や氷の粒子が塊となって付着することはなく、又、氷点下の状態でも氷の塊が成長して歩行を妨げることは無いのです、
【実施例２】
【０００１２】  歩行者がツルツルに滑る状態の凍結路面であることを承知して歩くときは、注意しながら爪先に重心を掛けながら歩きます、本発明のスパイクピン（４）を有する靴底には、弾力性のある発泡合成樹脂（６）の靴底のつま先部（１１）に、スパイクピン（４）の先端が埋め込まれていますので、つま先に重心が掛ると靴底底面（８）からノコ刃状の爪（３）が外に顔を出して凍り付いた路面を効果的に握持します、とくにお年寄りや障害を持つ足腰の弱い人は、つま先を立てて神経を集中して歩きますのでその効果は高く、冬でも安心して戸外に出る事ができます、
【産業上の利用可能性】
【００１３】  北国の冬道は雪が多いために歩道と車道の区別がなくなります、歩行者は車道を歩かざるを得ません、近年スタッドレスタイヤの普及により道は圧雪となり、その表面は見事なまでにツルツルの滑りやすい状態になるため転倒する事故が続発するのです、特に足腰の弱いお年寄りや障害のある人は、歩くことが困難となり戸外に出ることをためらいます、家の中で耐えながら雪解けの時期を待たなければなりません、本発明のスパイクピンを有する靴底は、凍結路面を恐怖心をもたずに誰もが安心して歩く事ができます、
建物内においては、つま先の力を少し抜いて歩く事により、床を傷つけたり、カツカツと言うピンの音を気にすることもありません、スパイク特有の違和感もなく履き心地も滑らかなスパイクシュウズを提供する事が出来ます。
【図面の簡単な説明】
【００１３】
【図１】  スパイクピン（４）の斜視図
【図２】  スパイクピン（４）の平面図
【図３】  靴底底面（８）の斜視図
【図４】  スパイクピン（４）を靴底を形成する発泡合成樹脂（６）の内部に埋設した状態を示すスパイクピンを有する靴底の断面図
【図５】  ノコ刃状の爪（１）′が凍結路面（１２）に握持した状態を示すスパイクピンを有する靴底の断面図
【符号の説明】
【００１４】  １    ノコ刃状の爪
２    鋼鉄リング
３    円形のつば
４    スパイクピン
５    靴底本体
６    発泡合成樹脂
７    切り込み
８    靴底底面
９    凍結路面
１０    靴
１１    つま先部
【図１】
2005312872.tif 000003
【図２】
2005312872.tif 000004
【図３】
2005312872.tif 000005
【図４】
2005312872.tif 000006
【図５】
2005312872.tif 000007